(57)【要約】【課題】ライター本体にキャップを自動的に簡単且つ確実に組立可能なライターを提供すること。【解決手段】ライター本体１の頂部にキャップ１９をキャップ固定部３０により固定する。キャップ固定部３０には、ベース３１から起立する支柱３２Ａ、３２Ｂが設けられる。また、この支柱３２Ａ、３２Ｂには、キャップ１９のフック部２１と係合する凹部３３を有するとともにキャップ１９の組立方向に沿ってテーパ３６Ａ、３６Ｂを有する溝状のガイド部３４が形成され、キャップ１９のフック部２１を誘導して位置決めする。【選択図】　　　図１
2004037027.tif 000002
【特許請求の範囲】
【請求項１】
燃料を貯蔵するタンク、前記燃料を噴出させる噴出ノズル、該噴出ノズルからの前記燃料の噴出を制御する操作レバーおよび該操作レバーとともに前記噴出ノズルから噴出する燃料に着火させる発火機構を有するライター本体と、前記噴出ノズルを覆い前記ライター本体に取り付けられるキャップとを備えるライターにおいて、
前記ライター本体には、該ライター本体に組み立てられる前記キャップを案内するガイドが前記キャップの取り付け方向に沿って形成されていることを特徴とするライター。
【請求項２】
前記ガイドは、前記タンクの一端に固定されるキャップ固定部から起立する支柱に形成されることを特徴とする請求項１に記載のライター。
【請求項３】
前記キャップ固定部の前記支柱には前記タンク側に凹部が形成され、前記ガイドは、前記凹部から前記支柱の自由端に向けて形成された切り欠きであり、前記キャップの組立時に該キャップに形成されたフック部を案内することを特徴とする請求項２に記載のライター。
【請求項４】
前記支柱のガイドを形成するエッジに、位置決め用のテーパが形成されていることを特徴とする請求項３に記載のライター。
【発明の詳細な説明】
【０００１】
【発明の属する技術分野】
本発明は、内蔵したガスタンクから噴出したガスに発火機構により点火させるライターのキャップに関し、特に簡単で確実かつ外れを防止したキャップの取付構造に関する。
【０００２】
【従来の技術】
ライターは、ブタンなどの燃料ガスが貯蔵されたタンクから一定量噴出したガスに、ヤスリまたは圧電素子による発火装置から発生する火花によって着火し、炎はキャップの上部から出るように構成され、取扱いが簡単で便利なものである。
【０００３】
ライターのキャップを含む上部構造は、図２に示すように、ライター本体１の頂部に金属製のキャップ１９が被冠されている。このキャップ１９には、噴出ノズル６に上に、火口２０が形成されている。また、このキャップ１９は、端面にキャップ１９の位置決め用屈曲部２２および両側面に一部分を内方へ切り起こして形成された固定用フック部２１を有し、これによりキャップ１９がライター本体１から容易に離脱しないように構成されている。
【０００４】
このキャップ１９をライター本体１の頂部に固定するために、ライター本体１の上部には、図３の拡大斜視に示すように、キャップ固定部３０が設けられている。このキャップ固定部３０は、略楕円形のリング状ベース３１、このベースの両側から起立する１対の支柱３２Ａ、３２Ｂおよびこれら支柱の外面に形成された略矩形状の凹部３３により構成される。キャップ１９の両面に形成された弾性を有するフック部２１を、このキャップ固定部３０の支柱３２Ａ、３２Ｂの凹部３３に係合（または嵌合）させることにより、キャップ１９をライター本体１に組立固定する。
【０００５】
【発明が解決しようとする課題】
このように、キャップ１９は、ライター本体１の頂部に被冠して固定されるので、特に自動化された機械組立の場合には、キャップ１９とライター本体１またはその頂部のキャップ固定部３０との位置決めが困難であった。即ち、キャップ１９のフック部２１は弾性を有するので、自動化された機械組立の場合には、支柱３２Ａ、３２Ｂの凹部３３とキャップ１９のフック部２１が位置ずれしていても被冠可能であるので、正しい固定関係で確実に被冠（または組立）されたか否かの確認が困難であるという課題があった。
【０００６】
また、不完全な位置決め状態で無理に組み立てると、キャップ１９に歪みが生じ変形するおそれがあった。キャップ１９の不完全な組立は、万一着火時などにてから滑り落ちた場合に、キャップ１９がライター本体１から離脱してしまうという解決しなければならない課題があった。
【０００７】
そこで、本発明は、このような従来のライターが有する課題を解決するために考えられたものであり、キャップをライター本体に簡単且つ確実に組立可能であり、それによりキャップを離脱しにくくするライターを提供することを目的とする。
【０００８】
【課題を解決するための手段】
本発明のライターは、燃料を貯蔵するタンク、この燃料を噴出させる噴出ノズル、この噴出ノズルから噴出する燃料に着火させる発火機構を有するライター本体と、噴出ノズルを覆いライター本体に取り付けられるキャップとを備えるものであって、ライター本体には、このライター本体に組み立てられるキャップを案内するガイドがキャップの取り付け方向に沿って形成されたものである。
【０００９】
また、本発明のライターの実施形態によると、ガイドは、タンクの一端に固定されるキャップ固定部から起立する支柱に形成される。キャップ固定部の支柱には、タンク側に凹部が形成され、ガイドは、この凹部から支柱の自由端に向けて形成された切り欠きであり、キャップの組立時にキャップに形成されたフック部を案内する。支柱のガイドを形成するエッジに、位置決め用のテーパが形成されている。
【００１０】
【発明の実施の形態】
以下、本発明によるライターの実施形態の構成および動作を、添付図面を参照して詳細に説明する。
【００１１】
図１は、本発明によるライターの実施形態の主要部であるキャップ固定部の斜視図を示している。なお、説明の便宜上、従来技術と対応する部材には同様の参照符号を使用している。
【００１２】
このキャップ固定部３０は、例えば耐熱性プラスチックにより一体成型された略楕円形のリング状ベース３１、このベース３１の両側から起立する１対の支柱３２Ａ、３２Ｂを有する。これら支柱３２Ａ、３２Ｂの外側面３５には、ベース３１側に形成された凹部３３およびこの凹部３３と実質的に同じ幅で上方へ延びるキャップ案内用ガイド部３４を有する。
【００１３】
このガイド部３４は、図１に示すように支柱３２Ａ、３２Ｂの外測３５を窪ませた溝状部である。このガイド部３４を構成する溝状部は、支柱３２Ａ、３２Ｂの先端から凹部３３へ延びる対向するエッジ３６を形成する。しかし、このガイド部３４を構成する溝の深さ（またはエッジ３６の高さ）は、凹部３３に比して浅い。好ましくは、この溝状のガイド部３４のエッジ３６間の間隔は、キャップ１９のフック部２１の幅に対応して設定され。また、エッジ３６の上端（支柱３２Ａ、３２Ｂの先端）近傍は、左右に開くテーパ３６Ａ、３６Ｂが形成されている。
【００１４】
本発明のライターに使用するキャップは、図２に示す従来例のキャップ１９と同様の構成であってもよい。即ち、キャップ１９の対向する両面に、それぞれ内側に切り起こした弾性を有するフック部２１を有する。
【００１５】
図１に示すキャップ固定部３０を有するライター本体１にキャップ１９を組み立てる際には、図１の上方からキャップ１９を被冠する。即ち、キャップ１９のフック部２１を支柱３２Ａ、３２Ｂに合わせて配置し、キャップ１９を押し下げる。この際に、キャップ１９のフック部２１は、支柱３２Ａ、３２Ｂに形成されたテーパ３６Ａ、３６Ｂを有する溝状のガイド部３４によりキャップ固定部３０に対して正確に位置決めされる。
【００１６】
もし、組立時にキャップ１９とキャップ固定部３０、特にその支柱３２Ａ、３２Ｂ間に少しの位置ずれがあれば、テーパ３６Ａ、３６Ｂによりフック部２１が誘導されて正しく位置補正（位置決め）される。そして、キャップ１９を十分に押し下げと、キャップ１９のフック部２１が支柱３２Ａ、３２Ｂの凹部３３にガイド（案内）され、この位置で弾性を有するフック部２１がガイド部３４の面から起き上がり、凹部３３の上縁３７に係合する。これにより、キャップ１９をキャップ固定部３０、即ちライター本体１に確実に固定し、両者を一体化する。
【００１７】
以上、本発明によるライターの実施形態の構成および動作を説明した。しかし、この実施形態は、本発明の単なる例示に過ぎず、何ら本発明を限定するものではない。本発明の要旨を逸脱することなく特定用途に応じて種々の変形変更が可能である。以上の実施形態においては、キャップ１９のフック部２１をキャップ固定部３０の支柱３２Ａ、３２Ｂのガイド部３４と係合させた。しかし、支柱３２Ａ、３２Ｂとキャップ１９間には、相互に案内機能を有する別のガイド機構を設けてもよい。
【００１８】
【発明の効果】
以上の説明から明らかなように、本発明のライターによると、次のような実用上の顕著な効果を奏することができる。即ち、キャップの組立時に、支柱に形成されたガイドに沿ってキャップとライター本体（またはキャップ固定部）との位置決めが確実に行われ、落下してもキャップは外れることはない。従って、組立製造が容易であり且つ組立不良（不具合）が生じないので、特に自動化した機械組立に好適であり、生産性が大幅に改善可能である。また、そのために必要な部品点数が増加することもない。
【図面の簡単な説明】
【図１】本発明によるライターの実施形態の主要部であるキャップ固定部の斜視図である。
【図２】従来のライターのライター本体からキャップを分離した状態を示す斜視図である。
【図３】図２に示すライターのキャップ固定部の拡大斜視図である。
【符号の説明】
１　ライター本体
４　タンク
６　噴射ノズル
７　発火機構
８　操作レバー
９　操作ローラ
１９　キャップ
２１　フック部
３０　キャップ固定部
３２Ａ、３２Ｂ　支柱
３３　凹部
３４　ガイド部
３６Ａ、３６Ｂ　テーパ
【図１】
2004037027.tif 000003
【図２】
2004037027.tif 000004
【図３】
2004037027.tif 000005